(57)【要約】【課題】  非加熱型の被覆除去装置は、被覆を除去する複数の刃部材が光ファイバの長手（光軸）方向に対し、いずれも同じ方向（角度）であるので、光ファイバの被覆厚さが均一でない場合、被覆を所望の状態に除去できない。【解決手段】光ファイバを挿通し固定可能な光ファイバ被覆除去装置であって、光ファイバの長手方向に対向配置する２対以上の刃部材を有し、少なくとも隣り合う２対の刃部材同士を非平行に設けることにより、所望の状態に除去することができる。【選択図】図１
2006133729.tif 000002
【特許請求の範囲】
【請求項１】
光ファイバを収納固定する光ファイバ固定部と、
前記光ファイバの上下に２枚を１組として配置され、互いの刃先をつき合わせて配置される少なくとも一組の第１の刃部材と、
前記光ファイバの上下に２枚を１組として配置され、互いの刃先をつき合わせて配置され、前記第１の刃部材と非平行となる少なくとも１組の第２の刃部材とを備え、前記光ファイバ固定部と連結部材を介して光軸方向に稼動可能となる刃部材固定部と、
を備えたことを特徴とする光ファイバ被覆除去装置。
【請求項２】
光ファイバを収納固定する光ファイバ固定部と、
前記光ファイバの上下に２枚を１組として配置され、互いの刃先をつき合わせて配置される少なくとも１組の第１の刃部材を有し、前記光ファイバ固定部と連結部材を介して光軸方向に稼動可能となる第１の刃部材固定部と、
前記光ファイバの上下に２枚を１組として配置され、互いの刃先をつき合わせて配置され、前記第１の刃部材と非平行となる少なくとも１組の第２の刃部材を有し、前記光ファイバ固定部と前記連結部材を介して光軸方向に稼動可能となる第２の刃部材固定部と、
を備えたことを特徴とする光ファイバ被覆除去装置。
【請求項３】
光ファイバを収納固定する光ファイバ固定部と、
前記光ファイバ固定部と第１の連結部材を介して光軸方向に稼動可能となる稼動部とを備え、
さらに、前記稼動部には、第２の連結部材を介して光軸方向に対し垂直方向に稼動可能となる刃部材稼動部が備えられ、
さらに、前記刃部材稼動部には、前記光ファイバの上下に２枚を１組として配置され、互いの刃先をつき合わせて配置される少なくとも１組の第１の刃部材と、前記第２の連結部材と平行に２枚を１組として配置され、互いの刃先をつき合わせて配置される少なくとも１組の第２の刃部材とを備えたことを特徴とする光ファイバ被覆除去装置。
【請求項４】
前記少なくとも２組の刃部材のうち、
少なくとも１組の刃部材の形状が、上部の刃部材と下部の刃部材とで異なっている
ことを特徴とする請求項１又は請求項３のいずれか１項に記載の光ファイバ被覆除去装置。
【請求項５】
前記少なくとも２組の刃部材のうち、
少なくとも１組の刃部材と前記光軸方向となす角度が、上部の刃部材と下部の刃部材とで異なっている
ことを特徴とする請求項１から請求項４のいずれか１項に記載の光ファイバ被覆除去装置。
【請求項６】
前記少なくとも２組の刃部材のうち、
第１の１組の刃部材の少なくとも１つが前記光軸方向となす角度が３度以上８５度以下の範囲内であって、
第２の１組の刃部材の少なくとも１つが前記光軸方向となす角度が略垂直である
ことを特徴とする請求項１から請求項５のいずれか１項に記載の光ファイバ被覆除去装置。
【請求項７】
前記少なくとも２組の刃部材のうち、
少なくとも１組の刃部材の固定位置を前記光軸方向にずらした
ことを特徴とする請求項１から請求項６のいずれか１項に記載の光ファイバ被覆除去装置。
【請求項８】
少なくとも１つの刃部材は、弾性体によって前記光ファイバと所望の力で当接するようにできる
ことを特徴とする請求項１から請求項７のいずれか１に記載の光ファイバ被覆除去装置。
【請求項９】
前記少なくとも１つの刃部材を備える箇所に、除去した被覆を排出する排出部を設けることを特徴とする請求項１から請求項８のいずれか１項に記載の光ファイバ被覆除去装置。
【請求項１０】
除去した被覆を収容する収容部を備える
ことを特徴とする請求項１から請求項９のいずれか１に記載の光ファイバ被覆除去装置。
【請求項１１】
前記収容部が着脱できることを特徴とする請求項１０に記載の光ファイバ被覆除去装置。
【請求項１２】
請求項１から請求項１１のいずれか１項に記載の光ファイバ被覆除去装置と、
前記光ファイバ被覆除去装置が固定されるセット部を備え、前記セット部に固定された前記光ファイバ被覆除去装置と着脱可能な固定台と、を備えたことを特徴とする光ファイバセット型被覆除去装置。
【請求項１３】
前記固定台に請求項１から請求項１１のいずれか１項に記載の前記光ファイバ被覆除去装置を着脱と固定とが行える着脱固定手段を備えたことを特徴とする請求項１２に記載の光ファイバセット型被覆除去装置。
【請求項１４】
請求項１から請求項１１のいずれか１項に記載の光ファイバ被覆除去装置に、
前記セット部に固定される固定手段を備え、
前記固定台に前記固定手段と着脱可能な着脱手段を備えたことを特徴とする請求項１２又は請求項１３に記載の光ファイバセット型被覆除去装置。
【請求項１５】
前記光ファイバ固定部は、枢軸を中心に前記連結部材に対して回転角度が０度以上６０度以下であることを特徴とする、請求項２に記載の光ファイバ被覆除去装置。
【請求項１６】
前記第１の刃部材固定部は、被覆除去終了地点において、前記第２の刃部材固定部と所定の距離を残して停止することを特徴とする、請求項２または１５に記載の光ファイバ被覆除去装置。
【発明の詳細な説明】
【技術分野】
【０００１】
本発明は、単心の光ファイバおよびリボン状の光ファイバの被覆を除去する光ファイバ被覆除去装置に関するものである。
【背景技術】
【０００２】
光ファイバの被覆除去装置には、電源を有し内蔵する加熱部（ヒータ等）により光ファイバ（特に、被覆）を暖め、柔らかくしてから除去する被覆除去装置（加熱型という）と、加熱しないで機械的に被覆を除去する被覆除去装置（非加熱型という）とがあった。
【０００３】
加熱型の被覆除去装置は、被覆を加熱し、暖めることで被覆が柔らかくなり、確実に被覆を除去することができる。しかし、熱エネルギを発生させる機構や装置が必要である（例えば、特許文献１）。
【０００４】
非加熱型の被覆除去装置は、例えば、特許文献２のように、上下に対向する１対の切断刃部材が光ファイバの長手（光軸）方向に平行に２組以上設けられ、被覆層を切断、引き抜き除去する際に、隣合う切断刃部材の間の部分の被覆層を盛り上がった状態とすることができ、引っ掛りを大きくすることにより、リボン型の光ファイバに対し、被覆層を容易にかつ完全に除去するものがある。
【０００５】
また、非加熱型の被覆除去装置は、例えば、特許文献３（特に、段落００１９から００２２、図３）のように、光ファイバ把持具（アセンブリ３０）は、光ファイバ把持具固定部（アセンブリ３１）に固定され、同方向の複数のブレードを持つ稼動部（アセンブリ３２）を、光ファイバの長手方向に（ガイドロッド３８に沿って）移動し、被覆層を除去するものがある。
【０００６】
さらに、特許文献４は、光ファイバ被覆中間部を除去する非加熱型の治具を開示している。従来は、当業者がカミソリ刃を使用し、光ファイバ被覆を除去していたが、特許文献４で発明された光ファイバ被覆中間部除去治具を使用することにより、当業者の肉体的・精神的疲労が軽減でき、また、光ファイバ被覆中間部の除去をバラツキなく行うことができることを開示している。
【特許文献１】実開平６−７６９０４号公報
【特許文献２】特開平５−７２４２０号公報
【特許文献３】特開平７−３２５２２５号公報
【特許文献４】特開平１１−８４１３９号公報
【発明の開示】
【発明が解決しようとする課題】
【０００７】
しかしながら、上述した加熱型の被覆除去装置は、熱エネルギを発生させる機構や装置が必要である。例えば、熱エネルギを電気を用いて発生させる場合、被覆を加熱する回路や光ファイバを暖める機構が必要である。また、電源が無い、あるいは、電源不足の場合や、充電する間は使用できないという問題点がある。
【０００８】
また、上述した非加熱型の被覆除去装置は、被覆を除去する複数の刃部材が光ファイバの長手（光軸）方向に対し、いずれも同じ方向（角度）であるので、光ファイバの被覆厚さが均一でない場合等では、被覆を所望の状態に除去できない場合がある。
【課題を解決するための手段】
【０００９】
本発明の光ファイバ被覆除去装置の第１の態様は、光ファイバを収納固定する光ファイバ固定部と、光ファイバの上下に２枚を１組として配置され、互いの刃先をつき合わせて配置される少なくとも一組の第１の刃部材と、光ファイバの上下に２枚を１組として配置され、互いの刃先をつき合わせて配置され、第１の刃部材と非平行となる少なくとも１組の第２の刃部材とを備え、光ファイバ固定部と連結部材を介して光軸方向に稼動可能となる刃部材固定部とを備えたことを特徴とする光ファイバ被覆除去装置である。
【００１０】
本発明の光ファイバ被覆除去装置の第２の態様は、光ファイバを収納固定する光ファイバ固定部と、光ファイバの上下に２枚を１組として配置され、互いの刃先をつき合わせて配置される少なくとも１組の第１の刃部材を有し、光ファイバ固定部と連結部材を介して光軸方向に稼動可能となる第１の刃部材固定部と、光ファイバの上下に２枚を１組として配置され、互いの刃先をつき合わせて配置され、第１の刃部材と非平行となる少なくとも１組の第２の刃部材を有し、光ファイバ固定部と連結部材を介して光軸方向に稼動可能となる第２の刃部材固定部とを備えたことを特徴とする光ファイバ被覆除去装置である。
【００１１】
本発明の光ファイバ被覆除去装置の第３の態様は、光ファイバを収納固定する光ファイバ固定部と、光ファイバ固定部と第１の連結部材を介して光軸方向に稼動可能となる稼動部とを備え、さらに、稼動部には、第２の連結部材を介して光軸方向に対し垂直方向に稼動可能となる刃部材稼動部が備えられ、さらに、刃部材稼動部には、光ファイバの上下に２枚を１組として配置され、互いの刃先をつき合わせて配置される少なくとも１組の第１の刃部材と、第２の連結部材と平行に２枚を１組として配置され、互いの刃先をつき合わせて配置される少なくとも１組の第２の刃部材とを備えたことを特徴とする光ファイバ被覆除去装置である。
【００１２】
本発明の光ファイバ被覆除去装置の第４の態様は、少なくとも２組の刃部材のうち、少なくとも１組の刃部材の形状が、上部の刃部材と下部の刃部材とで異なっていることを特徴とする光ファイバ被覆除去装置である。
【００１３】
本発明の光ファイバ被覆除去装置の第５の態様は、少なくとも２組の刃部材のうち、少なくとも１組の刃部材と光軸方向となす角度が、上部の刃部材と下部の刃部材とで異なっていることを特徴とする光ファイバ被覆除去装置である。
【００１４】
本発明の光ファイバ被覆除去装置の第６の態様は、少なくとも２組の刃部材のうち、第１の１組の刃部材の少なくとも１つが光軸方向となす角度が３度以上８５度以下の範囲内であって、第２の１組の刃部材の少なくとも１つが光軸方向となす角度が略垂直であることを特徴とする光ファイバ被覆除去装置である。
【００１５】
本発明の光ファイバ被覆除去装置の第７の態様は、少なくとも２組の刃部材のうち、
少なくとも１組の刃部材の固定位置を前記光軸方向にずらしたことを特徴とする光ファイバ被覆除去装置である。
【００１６】
本発明の光ファイバ被覆除去装置の第８の態様は、少なくとも１つの刃部材が、弾性体によって光ファイバと所望の力で当接するようにできることを特徴とする光ファイバ被覆除去装置である。
【００１７】
本発明の光ファイバ被覆除去装置の第９の態様は、少なくとも１つの刃部材を備える箇所に、除去した被覆を排出する排出部を設けることを特徴とする光ファイバ被覆除去装置である。
【００１８】
本発明の光ファイバ被覆除去装置の第１０の態様は、除去した被覆を収容する収容部を備えることを特徴とする光ファイバ被覆除去装置である。
【００１９】
本発明の光ファイバ被覆除去装置の第１１の態様は、収容部が着脱できることを特徴とする光ファイバ被覆除去装置である。
【００２０】
本発明の光ファイバセット型被覆除去装置の第１の態様は、上述した光ファイバ被覆除去装置と、光ファイバ被覆除去装置が固定されるセット部を備え、セット部に固定された光ファイバ被覆除去装置と着脱可能な固定台とを備えたことを特徴とする光ファイバセット型被覆除去装置である。
【００２１】
本発明の光ファイバセット型被覆除去装置の第２の態様は、上述した光ファイバ被覆除去装置を着脱と固定とが行える着脱固定手段を備えたことを特徴とする光ファイバセット型被覆除去装置である。
【００２２】
本発明の光ファイバセット型被覆除去装置の第３の態様は、上述した光ファイバ被覆除去装置に、光ファイバセット型被覆除去装置のセット部に固定される固定手段を備え、固定台に固定手段と着脱可能な着脱手段を備えたことを特徴とする光ファイバセット型被覆除去装置である。
【００２３】
本発明の光ファイバ被覆除去装置のその他の態様は、光ファイバ固定部は、枢軸を中心に連結部材に対して回転角度が０度以上６０度以下であることを特徴とする光ファイバ被覆除去装置である。
【００２４】
本発明の光ファイバ被覆除去装置のその他の態様は、第１の刃部材固定部は、被覆除去終了地点において、第２の刃部材固定部と所定の距離を残して停止することを特徴とする光ファイバ被覆除去装置である。
【発明の効果】
【００２５】
本発明の光ファイバ被覆除去装置は、非加熱型の光ファイバ被覆除去装置であるので、熱エネルギを発生させる機構や装置が不要である。したがって、本発明の光ファイバ被覆除去装置を使用するに際し、電源が無い、あるいは、電源不足の場合や、充電の有無に係らず作業員は作業をすることができる。
【００２６】
また、熱エネルギを発生させる機構や装置が不要であるため、その分、光ファイバ被覆除去装置を軽くすることが可能である。さらに、光ファイバ被覆除去装置が軽くなることにより、携帯性に優れ、作業性も向上することが可能となる。
【００２７】
また、本発明の光ファイバ被覆除去装置により、非加熱型においても、作業員は所望の状態に光ファイバの被覆を除去できる。
【発明を実施するための最良の形態】
【００２８】
以下に、本発明の実施形態について図面を参照しながら詳細に説明する。
【００２９】
図１は、本発明の第１の実施形態の光ファイバ被覆除去装置を示す斜視図である。そして、図２（Ａ）は、図１に示す光ファイバ被覆除去装置の断面図である。まず、図１に示すように、本発明の光ファイバ被覆除去装置１００は、光ファイバ把持具固定部３と稼動部４を備えている。光ファイバ把持具固定部３は、光ファイバ把持具２を載置し固定できるセット部６を備えた台座８と、蓋体７を備えている。光ファイバ把持具２は、蓋体５を備え、光ファイバ１を把持固定する。そして、刃部材１２ａ、１２ｂ及び刃部材１３ａ、１３ｂを搭載する稼動部４と、光ファイバ把持具固定部３は光ファイバ１の長手（光軸）方向に連結部材９を介して移動可能に付けられている。
【００３０】
また、稼動部４は、蓋体１０と台座１１を備えている。蓋体１０及び台座１１には光ファイバ１のサイズに合わさるように、そして、適切な位置で光ファイバ１と当接するように、刃部材１２ａ、１２ｂ及び刃部材１３ａ、１３ｂが設けられている。及び／又は、稼動部４は、光ファイバ１を所定の力で挟むようになっている。そして、図２（Ａ）で示すように、第１の刃部材１３ａ，１３ｂは光ファイバ１の長手（光軸）方向となす角度α，βが３度以上８５度以下の範囲内になっており、また、第２の刃部材１２ａ，１２ｂは光ファイバ１の長手（光軸）方向となす角度が略垂直となっている。
【００３１】
続いて、本発明の光ファイバ被覆除去装置１００を使用して、光ファイバ被覆を除去する動作を図３を参照しながら、詳細に説明する。
【００３２】
まず、図３（Ａ）で示すように、刃部材１３ａ、１３ｂの刃先は、光ファイバ心線１５のガラス部まで、あるいは、僅かに被覆１４及び／又は被覆１６を残すように到達する。稼動部４を光ファイバ１の長手（光軸）方向に移動すると、刃部材１３ａ、１３ｂによって光ファイバ１の被覆１４は、除去される。そして、図３（Ｂ）で示すように、刃部材１３ａ、１３ｂの後ろから刃部材１２ａ、１２ｂは、被覆１４及び／又は被覆１６を押し出すようにすることで除去し、ガラス部１７があらわになる。
【００３３】
なお、被覆厚さ、材質、光ファイバ１の長手（光軸）方向の被覆厚さのばらつき、光ファイバ心線１５の数（４，６，８，１２心、他）等の要因によって、被覆の除去が円滑に移動しないことがある。そのため、刃部材１３が円滑に移動するように、例えば、図２（Ｂ）で示すように、刃部材１３ａ、１３ｂとを、光ファイバ１の長手（光軸）方向にずらしてもよい。
【００３４】
また、図２（Ｂ）で示すように、刃部材１３ａと光ファイバ１の長手（光軸）方向となす角度αと、刃部材１３ｂと光ファイバ１の長手（光軸）方向となす角度βとを異ならせるようにしてもよい。そうすることで、例えば、刃部材１３ａ、１３ｂが円滑に移動するようになり、及び／又は、刃部材１３ａでは排出部２６から除去した被覆が排出しやすいようになる。
【００３５】
さらに、図２（Ｂ）で示すように、光ファイバ１の長手（光軸）の上部の刃部材１２ａと下部の刃部材１２ｂとで、刃部材の刃先の形状を異ならせるようにしてもよい。そうすることで、例えば、刃部材１３ａ、１３ｂが円滑に移動するように、及び／又は、刃部材１２ａ、１２ｂにおいて図示しない排出部から除去した被覆が排出しやすいようにするものである。
【００３６】
続いて、本発明の光ファイバ被覆除去装置の他の実施形態について図４を参照しながら詳細に説明する。
【００３７】
図４は、本発明の第２の実施形態の光ファイバ被覆除去装置を示す図である。
図４に示すように、本発明の光ファイバ被覆除去装置２００は、光ファイバ１を把持固定する図示しない光ファイバ把持具が、光ファイバ把持具固定部３の図示しないセット部に載置され固定される。そして、刃部材１２ａ、１２ｂを搭載する稼動部１８と、刃部材１３ａ、１３ｂを搭載する稼動部１９との２つの稼動部が、光ファイバ１の長手（光軸）方向に連結部材９を介して移動可能に付けられている。
【００３８】
稼動部１８は、光ファイバ１のサイズに合わせて刃部材１２が適切な位置で光ファイバ１と当接するように設けられている。及び／又は、稼動部１８は、光ファイバ１を所定の力で挟むようになっており、かつ、刃部材１２ａ，１２ｂが光ファイバ１の長手（光軸）方向とのなす角度が略垂直となっている。
【００３９】
また、稼動部１９は、光ファイバ１のサイズに合わせて刃部材１３ａ、１３ｂが適切な位置で光ファイバ１と当接するように設けられている。及び／又は、光ファイバ１を所定の力で挟むようになっており、かつ、刃部材１３ａ，１３ｂが光ファイバ１の長手（光軸）方向となす角度が３度以上８５度以下の範囲内となっている。
【００４０】
稼動部１９並びに稼動部１８を光ファイバ１の長手（光軸）方向に移動することにより、上述したように、被覆が除去される。即ち、まず、図３（Ａ）で示すように、刃部材１３ａ、１３ｂは光ファイバ心線１５のガラス部まで刃先を到達させ、あるいは、僅かに被覆１４及び／又は被覆１６を残すように刃先を到達させる。そして、刃部材１３ａ、１３ｂは光ファイバ１の被覆１４を除去する。
【００４１】
そして、図３（Ｂ）で示すように、刃部材１３ａ、１３ｂの後ろから刃部材１２ａ、１２ｂを光ファイバ１の長手（光軸）方向に沿って、被覆１４及び／又は被覆１６を押し出すように移動することによって、被覆を除去することができる。
【００４２】
さらに、第２実施形態を図１０を参照しながら、詳細に説明する。なお、図４に示される光ファイバ被服除去装置の各部と同様の構成には同一符号を付し、その説明を省略する。
【００４３】
図１０は、本発明の光ファイバ被覆除去装置２００を示す斜視図である。図１０に示す光ファイバ被覆除去装置２００は、光ファイバ１を収納固定する光ファイバ把持具固定部３と、光ファイバ１の上下に２枚を１組として配置され、互いの刃先をつき合わせて配置される少なくとも１組の第１の刃部材１２ａ、１２ｂを有し、光ファイバ把持具固定部３と連結部材９を介して光軸方向に稼動可能となる第１の稼動部１８と、光ファイバ１の上下に２枚を１組として配置され、互いの刃先をつき合わせて配置され、第１の刃部材と非平行となる少なくとも１組の第２の刃部材１３ａ、１３ｂを有し、光ファイバ把持具固定部３と連結部材９を介して光軸方向に稼動可能となる第２の稼動部１９と、を備えている。
【００４４】
光ファイバ把持具固定部３は、枢軸３４を介し、連結部材９に対して最大６０度まで回転し、６０度となった地点で停止する。これにより、作業者は光ファイバ被覆除去の作業後、光ファイバ把持具固定部３を連結部材９に対して６０度となる角度まで持ち上げ、光ファイバ１に付着した除去された被覆屑を清掃することができる。すなわち、作業者にとって清掃作業の空間が拡大する。
【００４５】
さらに、第１実施形態と比較すると、光ファイバ把持具固定部３を持ち上げることによって、除去され、付着した光ファイバ１の被覆屑を長手方向に退避させる必要がなくなり、その分、光被覆除去装置２００を長手方向に短くできる。
【００４６】
さらに、図１０に示す第１の刃部材（平刃）１２ａ、１２ｂを備える第１の稼動部１８は、被覆除去終了地点において、第２の刃部材（カンナ刃）１３ａ、１３ｂを備える第２の稼動部１９との間に所定の距離を残す。これによって、被覆除去後のガラス部１７は、平刃によってカンナ刃に押し付けられず、ガラス部１７は変形されないですむ。すなわち、光ファイバの光損失変動が減少する。
【００４７】
また、光ファイバ把持具固定部３の動作について図を参照しながら説明する。
【００４８】
図１１は、光ファイバ把持具固定部が連結部材に対して開いた状態を示す断面図である。図１１に示す光ファイバ把持具固定部３は、光ファイバ把持具２を配置する台座８と、台座８に備えられ、光ファイバ把持具２を挟み込む蓋体７を備えており、さらに、台座８は固定台３５に対し枢軸３４を中心に６０度まで回転する。
【００４９】
図１１に示すとおり、台座８と固定台３５との間に空間ができ、作業者は被覆屑の除去を行うことができる。
【００５０】
続いて、第２実施形態における被覆除去後の光ファイバについて、第１実施形態と比較して説明する。
【００５１】
図１２は、第１実施形態おける光ファイバの被覆除去の様子を示す平面図である。図１２は、第１実施形態における台座１１を示しており、その中心には長手方向に沿って光ファイバ１が配置される溝を有している。さらに、溝の一方の端には、第１の刃部材１２ｂ、が配置される。
【００５２】
溝に配置される太線は、光ファイバ１を示しており、細線は、ガラス部１７を示している。さらに、溝に配置される一部の太線は、第１の刃部材１２ｂによって一部被覆１６が除去された様子を示している。
【００５３】
図１２に示すとおり、光ファイバ１は台座１１の溝内で波を打つように溝部の壁に接触しており、変形をしている。すなわち、光ファイバ１は台座１１を図１１に示す矢印の方向に稼動することで、溝の壁で変形をする。このため、被覆を除去した光ファイバ１は、変形によって通信中の光ファイバに光損失変動を与えることになる。
【００５４】
図１３は、第２実施形態おける光ファイバ１の被覆除去の様子を示す平面図である。図１３は、第２実施形態における稼動部１８を示しており、その中心には長手方向に沿って光ファイバ１が配置される溝を有している。さらに、溝の一方の端には、第１の刃部材１２ｂ、が配置される。
【００５５】
第２実施形態においては、稼動部１８は、第１の刃部材１２ｂの進行方向に対し溝を配置しない。すなわち、被覆１６が除去されたガラス部１７は溝によって変形されることがないため、通信中の光ファイバに損失変動が発生しなくなる。
【００５６】
さらに、本発明の光ファイバ被覆除去装置の他の実施形態について図５を参照しながら詳細に説明する。
【００５７】
図５（Ａ）は、本発明の第３の実施形態の光ファイバ被覆除去装置を表した断面図である。
図５（Ａ）に示すように、本発明の光ファイバ被覆除去装置３００は、光ファイバ１を把持固定する図示しない光ファイバ把持具が、光ファイバ把持具固定部２０の図示しないセット部に載置され固定される。そして、光ファイバ把持具固定部２０の外側に刃部材１２ａ、１２ｂを搭載する稼動部２２と、さらに、稼動部２２の外側に刃部材１３ａ、１３ｂを搭載する稼動部２１とを設けたものである。稼動部２１を長手（光軸）方向に移動させると、ある距離移動してから、または、連動して稼動部２２が光ファイバ１の長手（光軸）方向に連結部材２３を介して移動可能に取り付けられている。また、ストッパ２４を設け、稼動部２１を止めるようになっている。
【００５８】
稼動部２２では光ファイバ１のサイズに合わせて刃部材１２ａ、１２ｂが適切な位置で光ファイバ１と当接するように設けられている。及び／又は、稼動部２２は、光ファイバ１を所定の力で挟むようになっており、かつ、刃部材１２ａ，１２ｂが光ファイバ１の長手（光軸）方向となす角度が略垂直となっている。さらに、図５（Ｂ）で示すように、光ファイバ１と所定の力で当接するように弾性体２５ａを設けるのが好ましい。
【００５９】
また、稼動部２１では光ファイバ１のサイズに合わせて刃部材１３が適切な位置で光ファイバ１と当接するように設けられている。及び／又は、稼動部２１は、光ファイバ１を所定の力で挟むようになっており、かつ、刃部材１３ａ，１３ｂが光ファイバ１の長手（光軸）方向となす角度が３度以上８５度以下の範囲内となっている。さらに、図５（Ｂ）で示すように、光ファイバ１と所定の力で当接するように弾性体２５ｂを設けるのが好ましい。
【００６０】
稼動部２１を移動させると、ある距離移動してから、または、連動して稼動部２２が光ファイバ１の長手（光軸）方向に移動することにより、上述したように、まず、刃部材１３ａ、１３ｂによって光ファイバ１の被覆１４を、光ファイバ心線１５のガラス部まで刃部材１３ａ、１３ｂの刃先を到達させ、あるいは、僅かに被覆１４及び／又は被覆１６を残して除去する（図３（Ａ）参照）。そして、刃部材１３ａ、１３ｂの後ろから刃部材１２ａ、１２ｂによって、被覆１４及び／又は被覆１６を押し出すようにすることで被覆を除去するものである。
【００６１】
また、図５（Ｂ）には、本発明の第４の実施形態の光ファイバ被覆除去装置の一部を表した図である。図５（Ｂ）に示すように、刃部材１３ｂの近傍に、除去した被覆を排出する排出部２６が設けられたものである。このようにすれば、例えば、稼動部２１を光ファイバの長手（光軸）方向に移動すると共に除去される被覆を、排出部２６を介して排出することができる。
【００６２】
さらに、排出部２６の出口に除去した被覆を収容する図示しない収容部を設けることによって、除去された被覆を周囲に飛び散らすことが無く、収容部に収容することができる。
【００６３】
本発明の第３の実施形態は、稼動部２１全体を手で握ることが可能であり、携帯性に優れている。そのため、作業場所に制約されることなく、例えば、電柱上等で電源を容易に得られない場所において、本発明の光ファイバ被覆除去装置を使用し、光ファイバの被覆の除去が可能となる。
【００６４】
次に、本発明の第５の実施形態について、図６、図７、図８及び図９を用いて詳細に説明する。
【００６５】
図６は、本発明の第５の実施形態の光ファイバ被覆除去装置を示す斜視図である。図６に示すように、本発明の光ファイバ被覆除去装置４００は、光ファイバ１を把持固定する光ファイバ把持具２を、光ファイバ把持具固定部３の図示しないセット部に載置し固定できる。そして、稼動部４が光ファイバ１の長手（光軸）方向に連結部材９を介して移動可能に取り付けられている。
【００６６】
さらに、稼動部４には、連結部材９に対して垂直方向になるように、他の連結部材２７が備えられており、連結部材２７を介して移動可能な稼動部４とは別の刃部材稼動部２８が備えられている。そして、刃部材１２ａ、１２ｂ、刃部材１３ａ、１３ｂは連結部材２７と平行になるように、刃部材稼動部２８に上下に備えられている。
【００６７】
図７（Ａ）は、図６に示す被覆除去装置の一部について別の態様を示す図である。図７（Ａ）に示すように、連結部材２７を介して移動可能な刃部材搭載部３０（上部３０ａと下部３０ｂとが開閉自在に連結されている）に、刃部材搭載部３０とネジ止めや磁石やバネ等によって着脱可能な刃部材３１ａ、３１ｂ、３２ａ、３２ｂを備えており、例えば、光ファイバ１の種類による被覆厚さや除去量等に対応した刃部材３１ａ、３１ｂ、３２ａ、３２ｂと少なくとも１つを交換できるものである。
【００６８】
図７（Ｂ）は、図６に示す被覆除去装置の一部について別の態様を示す図である。図７（Ｂ）に示すように、連結部材２７を介して移動可能な稼動部３４に、稼動部３４とネジ止めや磁石等によって着脱可能な刃部材搭載部３０（上部３０ａと下部３０ｂとが開閉自在に連結されている）を備えており、例えば、光ファイバ１の種類による被覆厚さや除去量等に対応した刃部材搭載部３０と交換できるものである。
【００６９】
また、磨耗等による刃部材３１ａ、３１ｂ、３２ａ、３２ｂの刃の交換についても、刃部材搭載部３０ごと交換ができる。さらに、磨耗等して取り外した刃部材３１ａ、３１ｂ、３２ａ、３２ｂの刃のみを交換できるようにしてよい。
【００７０】
図８は、図６に示す被覆除去装置の動作を模式的に示す図である。図８（Ａ）に示すように、まず、被覆除去を行う光ファイバ１は、刃部材１３ａ、１３ｂ側にセットされる。図３（Ａ）で示すように稼動部４を長手（光軸）方向に移動することにより、刃部材１３ａ、１３ｂによって光ファイバ１の被覆１４が除去される。なお、刃部材１３ａ、１３ｂの刃先は、光ファイバ心線１５のガラス部まで到達させるか、あるいは、僅かに被覆１４及び／又は被覆１６を残してもよい。
【００７１】
次に、図８（Ｂ）で示すように、作業員は、刃部材１３ａ、１３ｂによって被覆１４が除去された光ファイバ１を刃部材１２側にセットするように刃部材稼動部２８を稼動させる。そして、作業員は、稼動部４を光ファイバ１の被覆を除去する所望の位置まで戻す。そして、作業員は、図３（Ｂ）で示すように、稼動部４を長手（光軸）方向に移動することにより、刃部材１２ａ、１２ｂによって光ファイバ１の被覆１４及び被覆１６が除去される。
【００７２】
次に、図９で示すように、光ファイバセット型被覆除去装置には上述した光ファイバ被覆除去装置１００、２００、３００、４００（手持型被覆除去装置という）が着脱できる構造になっており、着脱固定手段３３が備えられ、手持型被覆除去装置を光ファイバセット型被覆除去装置の上方から挿入すると固定される。また、着脱固定手段３３を操作すると固定が外れ、手持型被覆除去装置を取出すことができる。つまり、光ファイバセット型被覆除去装置は、手持型被覆除去装置を容易に着脱及び／又は固定することができるものである。
【００７３】
さらに、手持型被覆除去装置には図示しない固定手段、例えば、着脱固定手段３３と嵌合する凹部を有し、手持型被覆除去装置を光ファイバセット型被覆除去装置の上方から挿入すると、凹部に着脱固定手段３３の先端部が導かれ固定される。
【００７４】
本発明の第５の実施形態により、光ファイバ被覆除去装置４００は、刃部材１２ａ、１２ｂ、刃部材１３ａ、１３ｂを長手（光軸）方向に対し垂直に備えるため、長手（光軸）方向に対し、光ファイバ被覆除去装置４００全体を短くすることができる。その結果、狭い場所での作業を容易にすることができる。さらに、本発明の光ファイバ被覆除去装置４００にも、刃部材１３ｂの近傍に、上述した除去した被覆を排出する排出部を設けてもよく、さらに、上述した収容部を設け、除去された被覆を収容し、周囲に飛び散らさないようにしてもよい。
【００７５】
なお、上述した光ファイバの種類（心線数、心線の太さ、被覆厚さ、被覆の材質等）に応じた光ファイバ把持具２とすれば、光ファイバ把持具２を交換するだけで本発明の光ファイバ被覆除去装置に用いることができる。
【００７６】
また、上述した刃部材の設ける位置は調整及び／又は交換でき、例えば、刃部材の磨耗や光ファイバの種類（心線数、心線の太さ、被覆厚さ、被覆の材質等）に応じて調整及び／又は交換できるようにすることができる。
【００７７】
また、上述した刃部材の材質は、金属（鋼材、ステンレス等）、セラミック、エンジニアリングプラスチック等でよい。さらに、光ファイバのガラス部を傷つけ難くするために、少なくとも刃部材先の硬度をガラス部と同等以下とするようにしてもよい。
【００７８】
また、上述した弾性体は、ゴム、ばね、ガス式シリンダ等でもよい。
【００７９】
また、上述した少なくとも刃部材１３の刃先の形状は、矩形や楔状でもよい。また、矩形の場合はその厚さは１ｍｍ以下とすればよい。
【００８０】
また、作業員は、上述した光ファイバ被覆除去装置１００から４００をねじ等で固定できる固定台等のセット部に設置することができる。そうすることで、作業員は、固定台のセット部に設置された光ファイバ被覆除去装置（以下、光ファイバセット型被覆除去装置という）を主に平らな場所に置き、光ファイバ１の被覆を除去する作業を安定して行うことができる。
【００８１】
また、光ファイバセット型被覆除去装置は、手に持って作業するのに比べ、光ファイバの任意の位置（光ファイバの中間ともいう）について被覆除去する際に、光ファイバを固定して被覆除去するので、所定の長さを被覆除去できるとともに、光ファイバを略水平な状態で被覆除去するので光ファイバを折損することを防止できるものである。
【００８２】
また、本発明では、リボン型光ファイバで説明したが、単心の光ファイバに適用できる。
【００８３】
なお、本発明は、上述した実施形態に限定されるものではなく、その要旨を逸脱しない範囲内で種々変形して実施することが可能である。
【産業上の利用可能性】
【００８４】
本発明の光ファイバ被覆除去装置により、熱エネルギを発生させる機構や装置が無いものであって、例えば、電柱上や、新築物件等で電源を取ることが難しい場所での作業において、光ファイバの被覆を所望の状態に除去することができるため、産業上の利用可能性が高い。
【図面の簡単な説明】
【００８５】
【図１】本発明の光ファイバ被覆除去装置の構成を示す斜視図である。
【図２】（Ａ）は図１に示す光ファイバ被覆除去装置の断面図である。（Ｂ）は図２（Ａ）に示す刃部材の設置例及び刃先の形状を模式的に示す図である。
【図３】本発明の光ファイバ被覆除去装置の被覆除去の状況を模式的に示す概念図である。
【図４】本発明の他の例の光ファイバ被覆除去装置の構成を示す断面図である。
【図５】本発明のさらに他の例の光ファイバ被覆除去装置の構成を模式的に示す断面図である。
【図６】本発明のさらに他の例の光ファイバ被覆除去装置の構成を示す概略図である。
【図７】図６に示す被覆除去装置の一部について別の態様を示す図である。
【図８】図６に示す被覆除去装置の動作を模式的に示す図である。
【図９】図６に示す被覆除去装置を固定台にセットした光ファイバセット型被覆除去装置の断面図である。
【図１０】第２実施形態における光ファイバ被覆除去装置の斜視図である。
【図１１】光ファイバ把持具固定部の断面図である。
【図１２】従来の平刃を有する稼動部を模式的に示す平面図である。
【図１３】第２実施形態における平刃を有する稼動部を模式的に示す平面図である。
【符号の説明】
【００８６】
１  光ファイバ
２  光ファイバ把持具
３，２０  光ファイバ把持具固定部
４，１８，１９，２１，２２，３４  稼動部
５，７，１０  蓋体
６  セット部
８，１１  台座
９，２３，２７  連結部材
１２ａ，１２ｂ，１３ａ，１３ｂ  刃部材
１４，１６  被覆  
１５  光ファイバ心線
１７  ガラス部  
２４  ストッパ  
２５  弾性体
２６  排出部
２８  刃部材稼動部
２９、３５  固定台
３０  刃部材搭載部
３１ａ，３１ｂ，３２ａ，３２ｂ  刃部材
３３  着脱固定手段
３４  枢軸
１００，２００，３００，４００  光ファイバ被覆除去装置
【図１】
2006133729.tif 000003
【図２】
2006133729.tif 000004
【図３】
2006133729.tif 000005
【図４】
2006133729.tif 000006
【図５】
2006133729.tif 000007
【図６】
2006133729.tif 000008
【図７】
2006133729.tif 000009
【図８】
2006133729.tif 000010
【図９】
2006133729.tif 000011
【図１０】
2006133729.tif 000012
【図１１】
2006133729.tif 000013
【図１２】
2006133729.tif 000014
【図１３】
2006133729.tif 000015